Podtech/llm-jp-corpus-v4-ja_patent huggingface dataset:
(57)【要約】      （修正有）【課題】アルミフレームを省略し、背中の曲面にフィットさせ、背蒸れの起きにくい一体型の成型バックパネルを提供する。【解決手段】ザックの背中に内蔵されている樹脂板に熱と圧力を与えることで三次元デザインを成型する。この結果、背中曲面がフィッテイングするリブ強度と通気に優れた、またアルミフレームの省略による軽量で低価格なザック用バックパネルである。ザックの背中に装備されている樹脂板に天地方向に対応する強度用のリブと人間の背中に対応する水平方向の曲面を熱と圧力で保持用の成型をし、余白部分を肉抜きをしたザック用のバックパネル。【選択図】図３
0003123070.tif 000002
【実用新案登録請求の範囲】
【請求項１】
ポリエチレン、アクリル、塩ビ等の厚みの有る樹脂板に熱と圧力を加えて３次元の立体形状を与え、複数の肉抜きホールを空けて軽量化を施したリュックサック用のバックパネル。
【考案の詳細な説明】
【技術分野】
【０００１】本考案はザックの背面部分に関するもので、通常保持用に装備されている樹脂板に３次元の凹凸デザインを加えることでリブ機能のトンネルが創出し保持強度が増加する。  更に新たな背負心地、通気性が創出できるザック用バックパネル樹脂板に関する。
【背景技術】
【０００２】人とザックの接点はバックパネルにある。人の背中と接するザックの背負面にはザック内の荷物が直接背中に干渉しないよう、また疲労を避ける目的で背中全体に面接着するように保持目的で樹脂パネルが入れてある。【０００３】しかし従来の樹脂板は必要形状にカットした平面なパネルで有った。この為、人体の背中曲面との間にはなじまないロスすき間があり、フィテイング感が損なわれた。【０００４】このフィッテイング感を得るため、従来はウレタン等のソフトフォームに凹凸形状を加えた。反面背中にフォームを背負うことになるので山行中極端な背蒸れ状態が表れた。
【考案の開示】
【考案が解決しようとする課題】
【０００５】ザックに必要な要素はフイット感、通気性、バランス、軽量で有る。しかし、これらの項目は相反するもので、フィット感が良ければ通気性がわるく、通気性を優先すると重くなる。これらの要素を新たな部品を追加することなく全て解決できるバックパネルを提供することを目的とする。
【課題を解決するための手段】
【０００６】従来からザックに備えてある樹脂板に熱と圧力でオワン型の３次元形状に成型し、縦、長手方向にトンネルを重ねてリブ機能を与え、長手方向の保持力を強化する。余白に肉抜きの穴を空けることで、ザックの必要条件、保持力、通気、フィッテイング、軽量を同時に達成する。
【考案の効果】
【０００７】熱と圧力で３次元成型されたバックパネルは人体と同じ曲面を持ちフィット感が高い。曲面保持されたパネルの曲面とサックの表メッシュの間に空気の流通が有り通気性に優れている。パネルは面形状なので背中でザックの形状維持が確保されてバランスが良い。
【考案を実施するための最良の形態】
【０００８】以下、本考案の実施形態に係るバックパネルを図面に基ずいて説明する。      ザックの背中に装備されている樹脂板１に天地方向に対応する強度用のリブ２と人間の背中に対応する水平方向の曲面３を熱と圧力で保持用の成型をし、余白部分を肉抜き４をしたザック用のバックパネル。
【図面の簡単な説明】
【００００】
【図１】本考案の正面図である。
【図２】同じく側面図である。
【図３】ザックを透視した本考案の参考斜視図である。
【図４】Ａ−Ａ’の断面図である
【符号の説明】
【００００】１  樹脂バックパネル
２  縦トンネル保持リブ
３  水平方向フィッテイングカーブ
４  肉抜きホール
５  メッシュ
６  ザック
【図１】
0003123070.tif 000003
【図２】
0003123070.tif 000004
【図３】
0003123070.tif 000005
【図４】
0003123070.tif 000006
(57)【要約】【課題】本考案は充電式バッテリーパックが使用され能力低下した場合、従来であれば新品購入していた充電式バッテリーパックを蓄電池のみ交換することにより廃棄物低減、コスト低減をするための修理再生についての考案である。【解決手段】充電式バッテリーパックを分解し、各部品を点検清掃したのち、新しい蓄電池に交換してくみ上げることにより従来の能力に戻る効果が得られる。充電式バッテリーパック本体を再使用することにより廃棄物を減らすことにも役立つ。【選択図】図１
0003123064.tif 000002
【実用新案登録請求の範囲】
【請求項１】
充電式バッテリーパックにおいて、前記充電式バッテリーパックは、交換可能な蓄電池と、前記蓄電池を収納する収納部分と、からなることを特徴とする充電式バッテリーパック。
【請求項２】
充電式バッテリーパックにおいて、前記充電式バッテリーパックは蓄電池部分と、前記蓄電池を分離可能な蓄電池以外の部分と、からなることを特徴とする充電式バッテリーパック。
【考案の詳細な説明】
【技術分野】
【０００１】本考案は使用され充電能力の衰えた充電式蓄電池パックの電池を入れ替え、従来の能力を発揮させる修理再生の考案である。
【技術背景】
【０００２】新品のバッテリーパックを使用、充電を繰り返すと充電式蓄電池が衰えていき徐々に能力が衰える。
充電後の使用時間が短くなる。
【０００３】そのため新品のバッテリーパックを購入し使用することが必要になってくる。
古くなったバッテリーパックは廃棄される。
【考案の開示】
【考案が解決しようとする課題】
【０００４】新品のバッテリーパックを繰り返し使用することで起こる能力の低下で新品を購入するコストを抑えることと、部品再利用することにより資源の無駄を省くことを目的とする。
【課題を解決するための手段】
【０００５】バッテリーパックの中の蓄電池を取り替え、サーモスタット、ヒューズ、基盤、プラスチックの本体等を再使用することにより、安価に修理され元の能力を取り戻すことが可能となる。
新品のバッテリーパックを繰り返し使用することで起こる能力の低下で新規に購入するコストを抑えるため、中身の蓄電池のみを交換することにより能力を安価で復活させる。
【考案の効果】
【０００６】本考案の充電式バッテリーパックの修理再生は能力の衰えたバッテリーパック内の蓄電池や劣化部品のみを交換し能力を復活させることにより廃棄物の低減とコスト低減を図り、通常通り使用出来るようにする事を効果とする。
【考案を実施するための最良の形態】
【０００７】充電式バッテリーパックを分解し、端子、ヒューズ、サーモスタット、基盤等の部品の点検、清掃、不具合部品の交換を行う。
蓄電池は新品に交換し各部品を組み込み、修理再生を完了する。
【実用例】
【０００８】以下、添付図面に従って本考案の一実例を説明する。
まず全体図の図１は充電式バッテリーパック全体図である。
【０００９】図面１の▲１▼の部分のネジ又は溶着部分のカットを行い分解する。
図１の▲２▼が分解された内部の交換する蓄電池部分である。
図１の▲３▼は基盤、ヒューズ部品であり、異常なきことを点検し再使用、又は交換を行い組み付ける。
図１の▲４▼は端子部分である。
端子部分は変形、摩耗を点検し清掃、又は交換し組み付ける。
【００１０】その他、本考案を実施するための最良の構成、形態、方法などは、以上の記載で開示されているが、本考案はこれに限定されるものではない。
すなわち、以上の記載は、主に特定の実施例に関して図示され、かつ説明されているが、本考案の技術的思想および目的の範囲から逸脱することなく、以上述べた実施例に対し、材質、形状、数量、その他の構成において、当業者が様々な変形を加えることができる。
【００１１】従って、以上に開示した材質、形状、数量などを限定した記載は、本考案の理解を容易にするために例示的に記載したものであり、本考案を限定するものではない。そのため、それらの材質、形状、数量などの一部もしくは全部の限定を外した記載は、本考案の技術的範囲に含まれる。
【産業上の利用可能性】
【００１２】ノートパソコン、ビデオカメラ、電動工具類等のバッテリーパックを使用する機器において使用頻度の高い業種ではバッテリーの劣化が早く、交換率が高くなる。
そのため新品購入ではコストがかかり能力の衰えたバッテリーでは使用効率も悪くなるが、修理再生バッテリーを利用することにより安価での購入が可能となり、効率向上が可能となる。
【図面の簡単な説明】
【００１３】
【図１】充電式バッテリーパックの横面図
【符号の説明】
【００１４】図１、充電式バッテリーパック全体図
▲１▼、分解時の結合部
▲２▼、分解された蓄電池状態図
▲３▼、ヒューズ、基盤部品
▲４▼、端子部品
【図１】
0003123064.tif 000003
(57)【要約】      （修正有）【課題】ドアの吊元側の端縁と枠との間に指を挟んだりしないために、指が入らないよう怪我の危険性のない安全なドアを提供する。【解決手段】柔軟性のある板材１の相対する辺に補強板２を取り付け、一方はドアの枠４に兆番３で取り付け、もう一方はドア５の吊元側に兆番３で取り付けたことを特徴とする。【選択図】図１
0003123062.tif 000002
【実用新案登録請求の範囲】
【請求項１】
柔軟性のある板材の相対する辺に補強板を取り付け、一方はドアの枠に兆番で取り付け、もう一方はドアの吊元側に兆番で取り付けたことを特徴とする安全カバー。
【考案の詳細な説明】
【技術分野】
【００１】本考案は、ドアに関する。
【背景技術】
【００２】ドアを閉める時、ドアの吊元側の端縁と枠との間に指を挟んだりして怪我の危険性がある。
【考案の開示】
【考案が解決しようとする課題】
【００３】本考案は、ドアの吊元側の端縁と枠との間に指を挟んだりしないために、指が入らないよう怪我の危険性のない安全なドアを提供する。
【課題を解決するための手段】
【００４】上記の目的を達成する本考案の安全カバーは、柔軟性のある板材の相対する辺に補強板を取り付け、一方はドアの枠に兆番で取り付け、もう一方はドアの吊元側に兆番で取り付けたことを特徴とする。
【考案の効果】
【００５】以上説明したように本考案によれば、ドアの吊元側の端縁と枠との間に指が入らないため怪我の危険性のない安全なドアとすることが出来る。
【考案を実施するための最良の形態】
【００６】以下、本考案の実施の形態を図面に基づき説明する。【００７】図１〜２は本考案の形態に係り、図１はドア開放時断面図、図２はドア閉鎖時断面図。【００８】図１に示すように、板材１に補強板２及び兆番３をボルト７で取り付け、一方は兆番３を枠４にビス６で取り付け、もう一方は兆番３をビス６でドア５の吊元側に取り付ける。
【実施例】
【００９】ドアの吊元側の端縁と枠との間に指が入らないため怪我の危険性が少なくなる。【０１０】以上、本考案は実施の形態及び実施例を説明したが、本考案の範囲はこれに限定されるものでない。補強板の形状、兆番の箇所数、取り付け方法は状況に応じて適宜選択されるものである。
【産業上の利用可能性】
【０１１】本考案は建具を製造、販売する産業分野で利用することができる。
【図面の簡単な説明】
【０１２】
【図１】ドア開放時断面図である。
【図２】ドア閉鎖時断面図である。
【符号の説明】
【０１３】１  板材
２  補強板
３  兆番
４  枠
５  ドア
６  ビス
７  ボルト
【図１】
0003123062.tif 000003
【図２】
0003123062.tif 000004
(57)【要約】【課題】  本考案は利用者が、入浴剤、化粧水、肌用クリーム、石鹸の色と香りを自分で作成できるように色素とアロマオイルと入浴剤、化粧水、肌用クリーム、石鹸のそれぞれの作成用キットを１つずつのセットとして収納し、経済的節約を図る。【解決手段】  本考案はセットの外箱１に、食品添加物着色料と天然乳白色材の２，３，４，５とアロマオイルの６，７，８をセットし、なおかつ、１０の入浴剤の作成用キットと色素と香料と作成方法についてのガイドブック９を収納して、１つのセットで幾通りもの色と香りを堪能することが出来て、いくつもの入浴剤を購入する必要もなく、経済的にも節約が図れる。また、セット内の作成用キットを化粧水、肌用クリーム、石鹸にするとそれぞれのセットになる。【選択図】図１
0003123063.tif 000002
【実用新案登録請求の範囲】
【請求項１】
セットの内容として、入浴剤作成用のキットとお湯の色を食品添加物着色料の組み合わせにより、数種の色を提供することが出来るようにするため、色の三原色である赤、黄、青の色素と、水分に触れると色が白濁する天然乳白色材を収納すると共に、数種類の香りを提供するため、香りの元であるアロマオイルを数種類、セットの中に収納して、１つの入浴剤セットで様々な色、香りを自由自在に自分で作成出来るところを特徴とする自主制作型入浴剤セット。
【請求項２】
セットの内容として、化粧水作成用のキットと、化粧水の色を食品添加物着色料の組み合わせにより、数種の色を提供することが出来るようにするため、色の三原色である赤、黄、青の色素と、水分に触れると色が白濁する天然乳白色材を収納すると共に、数種類の香りを提供するため、香りの元であるアロマオイルを数種類、セットの中に収納して、１つの化粧水セットで様々な色、香りを自由自在に自分で作成出来るところを特徴とする自主制作型化粧水セット。
【請求項３】
セットの内容として、肌用クリーム作成用キットと、肌用クリームの色を食品添加物着色料の組み合わせにより、数種の色を提供することが出来るようにするため、色の三原色である赤、黄、青の色素と、水分に触れると色が白濁する天然乳白色材を収納すると共に、数種類の香りを提供するため、香りの元であるアロマオイルを数種類、セットの中に収納して、１つの肌用クリームセットで様々な色、香りを自由自在に自分で作成出来るところを特徴とする自主制作型肌用クリームセット。
【請求項４】
セットの内容として、石鹸作成用のキットと、石鹸の色を食品添加物着色料の組み合わせにより、数種の色を提供することが出来るようにするため、色の三原色である赤、黄、青の色素と、水分に触れると色が白濁する天然乳白色材を収納すると共に、数種類の香りを提供するため、香りの元であるアロマオイルを数種類、セットの中に収納して、１つの石鹸セットで様々な色、香りを自由自在に自分で作成出来るところを特徴とする自主制作型石鹸セット。
【考案の詳細な説明】
【技術分野】
【０００１】  本考案は、色や香りについて自分で制作できる入浴剤セット、化粧水セット、肌用クリームセット、石鹸のセットに関するものである。
【背景技術】
【０００２】  既存の入浴剤、化粧水、肌用クリーム、石鹸では、決められた色や香りしか楽しむことが出来ない上に、その日の自分の気分に合わせたものを使用することが出来なかった。
【考案の開示】
【考案が解決しようとする課題】
【０００３】  入浴剤、化粧水、肌用クリーム、石鹸の利用者にとって、これらのものを多種類にわたって使用するには、たくさんの種類のものを購入して使用しなければならない。そうすると経済的な負担も大きい。従って、それぞれを１つずつのセットにして、自分で好みの色や香りを自由に作成できるように、色素や香料をまとめて収納し、前述の欠点を解決しようとするものである。
【課題を解決するための手段】
【０００４】  本考案は、セット内に、食品添加物着色料の赤色、黄色、青色の色素と、水分に触れると乳白色に変わる天然乳白色材、更に香料として、リラクゼーションに効果があるアロマオイルを数種類収納し、さらにそれぞれのセットに入浴剤、化粧水、肌用クリーム、石鹸の作成用キットを収納、また、色素をどのように組合せれば何色に変色するか、またはアロマオイルをどのように混合すれば、どのような香りになるかを記載したガイドを収納することにより、問題点を解決している。
【考案の効果】
【０００５】  上述の様に、本考案の自主制作型バスアンドスキンケアセットは様々な色や香りの入浴剤、化粧水、肌用クリーム、石鹸のそれぞれが１つずつのセットで堪能出来ることは勿論、その日の体調や気分によって、視覚によるリラクゼーション効果、または、嗅覚によるリラクゼーション効果を自分の好みで作り出すことが出来るので、ストレスの解消、または病気の予防に役立つ。
【考案の実施するための最良の形態】
【０００６】  セットの内部に食品添加物着色料の色素である、赤、黄、青の色素と、お湯、化粧水、肌用クリーム、石鹸を白濁させる為の天然乳白色材をプラスチックの容器に収納し、さらに小型のガラスの容器にいれたアロマオイル数種類を収納する。そしてそれぞれのセットの内部に、入浴剤、化粧水、肌用クリーム、石鹸のそれぞれの作成用キットを収納するとともに、色素の調合方法やアロマオイルの調合方法、さらに入浴剤、化粧水、肌用クリーム、石鹸の作成方法と視覚効果と嗅覚効果の効能を記載したガイドブックを収納する。
【実施例】
【０００７】  以下添付図面に従って入浴剤セットについての一実施例を説明する。１はプラスチックの外箱である。その箱内に２，３，４，５の食品添加物着色料の色素と天然乳白色材を収納し、さらに６，７，８の香料であるアロマオイルを収納する。そして１０の入浴剤作成用キット、９のガイドブックを挿入して入浴剤セットの完成である。【０００８】  浴槽にお湯を張った状態に、２の赤の色素と３の青の色素を投入し、更に、６のラベンダーの香料と１０の入浴剤作成用キットで作成した入浴剤を投入すれば、紫がかったお湯の色にラベンダーの香りが浴室内に広がることになる。
【図面の簡単な説明】
【０００９】
【図１】本考案の自主制作型入浴剤セットについての一実施例を示す図面である。
【符号の説明】
【００１０】  １  入浴剤セットの外箱
２  赤色の食品添加物着色料
３  青色の食品添加物着色料
４  黄色の食品添加物着色料
５  天然乳白色材
６  ラベンダーのアロマオイル
７  ペパーミントのアロマオイル
８  オレンジのアロマオイル
９  ガイドブック
１０  入浴剤作成用キット
【図１】
0003123063.tif 000003
(57)【要約】【課題】  皿に盛り付けた刺し身や配膳された刺し身を長時間変質することなく、新鮮な味を保つことのできる刺し身皿を提供する。【解決手段】  皿の中央に凹部を設け、この凹部を箱形の断熱材で囲み、この中に冷凍庫で凍らせた保冷剤袋を入れ、この上に熱伝導のよい金属薄板を配し、さらにその上に金網を載せ、この金網の上に刺し身やつまを盛り付ける。金網を置くことによって水切りが可能である。【選択図】    図１
0003123005.tif 000002
【実用新案登録請求の範囲】
【請求項１】
皿本体Ａの中央部に凹部を設けて開口部（１）とし、該凹部（１）の内側を断熱材（２）で形成し、該凹部に保冷剤（３）を配置し、開口部（１）上に金属製薄板（５）を載置し、該金属薄板（５）上に少し空隙（６）を置いて金網（４）を設けたことを特徴とした刺し身皿。
【考案の詳細な説明】
【技術分野】
【０００１】
本考案は、配膳の際に使用する刺し身盛付用の刺し身皿に関する。
【背景技術】
【０００２】
料理を盛付け配膳する場合、大人数やお客が混み合う場合には、料理を多数皿に盛り準備している。
この場合、刺し身などの生ものは傷みに気を使い冷蔵庫内で保管するが、一旦配膳されて出された時、酒席などではかなり長時間膳の上に放置される場合があるが、この間にも刺し身が傷むおそれがある。
【特許文献１】特開２００５−５５１２５号公報
【考案の開示】
【考案が解決しようとする課題】
【０００３】
配膳された刺し身は、酒席などでは１〜２時間放置されることなどざらであって、その間室温等の作用によって、刺し身が腐敗するか、或はそれに近い状態に悪化しているため用心が必要である。
【課題を解決するための手段】
【０００４】
このような場合を想定して、氷塊などを皿に入れて刺し身を保護して旨味の保存を図る手段もとられているが、氷塊を入れた場合は、氷がとけて水が出て刺し身が水っぽくなり、味が落ちる傾向にあって好まれない。
【０００５】
本考案は、皿に凹部を形成し、この中に保冷剤を配し、この上に金網を載せることによって、刺し身の新鮮を保ち、金網によって水切りを行い、長時間での変質と味の落ちを防ぐ刺し身皿を提供する。
【考案の効果】
【０００６】
本考案の刺し身皿は、上述のように保冷剤を内蔵しているため、盛り付けや配膳後であっても保冷剤のため長い時間での刺し身の変質や味の変化が防げ、一般家庭や食堂等でも気軽に使用でき、その衛生上の心配がなくなる作用効果は特筆できる。
【考案を実施するための最良の形態】
【０００７】
添付図面により本考案の実施の形態を説明すると、図１は本考案の刺し身皿の構成を示す断面図であり、プラスチック製或は陶製の皿（小鉢）Ａの中央の凹部に保冷剤を納入する。図２は全体の平面図であって中央の開口部には金網（２）が配置してあって、図示していないが網上に刺し身を配し、刺し身から出る水分を排除する。
【実施例】
【０００８】
図１により本考案の刺し身皿を説明すると、Ａは皿の断面図であって、中央に大きく開口部（１）が形成され凹部となって形成されている。この開口した凹部には断熱材嵌入され、この中に保冷剤（３）が内蔵されている。
【０００９】
この開口凹部（１）の上面には金属薄板（４）を配したことによって、金属薄板の熱伝導効果によって冷却効果があがる。さらにその上に僅かに空間（６）を置いて比較的目の細い金網（５）を載置する。この金属薄板（４）と金網（５）は使用中に錆が出るのでステンレス製が好ましい。またこの金属薄板（４）と金網（５）の間の空間（６）は刺し身（図示していない）から出る水分を除去するものである。
【００１０】
この刺し身皿の金網（５），金属薄板（４），保冷剤（３），断熱材（２）は全て取外し可能となっていて洗浄可能であって清潔が保たれ、保冷剤は冷蔵庫の中で冷却保管して、使用の際に取り出して皿Ａの凹部に投入する。
【産業上の利用可能性】
【００１１】
上述のように本考案の刺し身皿は、保冷剤を内蔵しているため、配膳した後の刺し身の品質の保持がよいことで、大勢の客が集まる酒席や旅館等での利用に適していて衛生・保険上の心配なく利用できる。
【図面の簡単な説明】
【００１２】
【図１】刺し身皿の断面図
【図２】全体の平面図
【符号の説明】
【００１３】
１  皿の開口凹部
２  断熱材
３  保冷剤
４  金属薄板
５  金網
６  空間
Ａ  皿
【図１】
0003123005.tif 000003
【図２】
0003123005.tif 000004
(57)【要約】      （修正有）【課題】中央でプレスしたプラスチック製の袋の上に綿球、下に消毒液が入っており手で消毒液の方に圧を加えることでプレス部分が開放し、消毒液が綿球に浸透する。このことから、（１）万能つぼに清潔操作で綿球や消毒液を入れる作業がなく、空気にふれることなく、綿球に浸透させることができる。（２）１回の処置で使い切りのため清潔。また多少綿球が残っても、ジッパーで清潔に次の処置で使用することができる。（３）万能つぼを使用することがないため、交換時期がなく、綿球の無駄を避けることができる。（４）使い切ったらそのまま破棄することができる。【解決手段】中央でプレスしたプラスチック製の袋の上に綿球、下に消毒液が入っており、手で消毒液部分に圧を加えることで綿球に消毒液が浸透する。【選択図】図１
0003123003.tif 000002
【実用新案登録請求の範囲】
【請求項１】
１枚のプラスチック製の袋が中央でプレスされており、上に綿球、下に消毒液が入っているもの
【考案の詳細な説明】
【考案の詳細な説明】
【産業上の利用分野】
【０００１】  この考案は１枚のプラスチック製の袋が中央でプレスされており、上に綿球、下に消毒液が入っており、圧を加えることで消毒液が綿球に浸透するものである。
【背景技術】
【０００２】  従来病院などで使用されている綿球消毒はオートクレーブで消毒された万能つぼに清潔操作で綿球を入れ、消毒液を浸していくという方法がほとんどだった。
綿球がなくなると、その万能つぼに再度綿球と消毒液を足すなど手間がかかり、清潔度が低下し、万能つぼの交換時期に綿球が入っている場合などがあり、その綿球は無駄になっていた。
【考案が解決しようとする課題】
【０００３】  本考案は、このような問題を解決し、無駄をなくし、清潔で使いやすいものにするために、中央でプレスしたプラスチック製の袋に、１回の処置で使用できる綿球の個数を入れ、消毒液はすべての綿球が浸り、ある程度絞れるくらいの量を入れておく。消毒液に手で圧を加えることで、プレスしたところが開放になり、消毒液が綿球に浸る。
また、上の部分に、点線切り込みとジッパーを付けることで、切り込み点線の部分は使用時に圧をかけ、綿球に浸透後に開ける。
そして、１回で使用できなかった場合ジッパーをしておくことで使用可能となる。それにより、使いきりで清潔が保たれ、無駄を抑えられるようにした。
【課題を解決するための手段】
【０００４】  中央でプレスしたプラスチック製の袋に、１回の処置で使用できる綿球の個数を入れ、消毒液はすべての綿球が浸り、ある程度絞れるくらいの量を入れておく。
消毒液に手で圧を加えることで、プレスしたところが開放となり、消毒液が浸る。
また上の部分に、点線切り込みとジッパーをつけることで、使用時に圧をかけ、綿球に消毒液が浸透後に切り込み点線の部分を開け、１回で使用できない時はジッパーを用いるようにした。
【考案の結果】
【０００５】したがって本考案のもたらす利益としては
（１）  万能つぼに清潔操作で綿球や消毒液を入れる作業がなく、空気にふれることなく、綿球に浸透させることができる。
（２）  １回の処置で使い切りのため清潔。
また多少綿球が残っても、ジッパーで清潔に次の処置で使用することができる。
（３）  万能つぼを使用することがないため、交換時期がなく、綿球の無駄を避けることができる。
（４）  使い切ったらそのまま破棄することができる。
【図面の簡単な説明】
【０００６】
【図１】中央でプレスされたプラスチック製の袋に綿球と消毒液が入ったもの。
【図２】圧をかけたあとの袋の状態
【符号の説明】
【０００７】図１  （１）切り込み点線（５）消毒液  図２  （１）ジッパー
（２）ジッパー                        （２）消毒液が浸った綿球
（３）綿球
（４）プレスした場所
【図１】
0003123003.tif 000003
【図２】
0003123003.tif 000004
【手続補正書】
【提出日】平成18年3月22日(2006.3.22)
【手続補正１】
【補正対象書類名】実用新案登録請求の範囲
【補正対象項目名】請求項１
【補正方法】変更
【補正の内容】
【請求項１】
上が綿球、下に消毒液が入っている中央がプレスされたプラスチック製の袋の消毒セット
(57)【要約】【課題】  ブラジャーの装着による締付やむれを防ぐ軽快なブラジャーを提供する。【解決手段】  肩紐および胸バンドのみからなる軽量で、風通しのよいブラジャーであって、肩紐の前部に乳首のみを隠すためのポイントＰを設け、このポイントＰを上下に移動可能としたブラジャー。【選択図】    図１
0003123004.tif 000002
【実用新案登録請求の範囲】
【請求項１】
肩紐Ａと胸バンドＢのみからなり、肩紐Ａと胸バンドＢを体の前後でＴ字形に接続し、肩紐の胸前部に乳首を隠すポイントＰを設け、該ポイントＰを上下に移動可能としたことを特徴とした簡易ブラジャー。
【請求項２】
肩紐ＡのポイントＰ下側から胸及び脇にかけて支えバンドＡ１を設けることを特徴とした請求項１に記載の簡易ブラジャー。
【請求項３】
肩紐Ａ及び胸バンドＢは、部分的にゴム等を織り込んで伸縮可能に形成した請求項１に記載の簡易ブラジャー。
【請求項４】
肩紐Ａ、支えバンドＡ１及び胸バンドＢは、部分的にゴム等を織り込んで伸縮可能に形成したことを特徴とした請求項２に記載の簡易ブラジャー。
【考案の詳細な説明】
【技術分野】
【０００１】
本考案は、肩紐と胸バンドのみからなる簡易ブラジャーに関する。
【背景技術】
【０００２】
殆どの女性が着用するブラジャーは、各種様々な形状やサイズ、あるいは色柄、布材も種々あって、各人の好みで千差万別であるが、総じて乳房を支えるカップと肩紐および胸バンドからなっていて、装着したスタイルを重視している。
【特許文献１】特開２００５−１３９５６３号公報
【考案の開示】
【考案が解決しようとする課題】
【０００３】
このように、ブラジャーは装着したときのスタイルを重視するため、締め付による息苦しさや、むし暑さから開放され、軽快で通気性のよいブラジャーも好まれる。
【課題を解決するための手段】
【０００４】
考案者は、このような軽快で通気性のよいブラジャーについて試作研究を続けた結果本考案に到達したものであって、本考案の簡易ブラジャーは、肩紐Ａと胸バンドＢのみからなるもので、装着した際に乳首の突出を防ぐためにポイントＰを設けて乳首を隠す形状とする。
【考案の効果】
【０００５】
上述のように、本考案の簡易ブラジャーは肩紐Ａと胸バンドＢのみからなるもので、装着しても締め付による胸苦しさや暑苦しさもなく、軽快であり、健康的であるため従来のブラジャーに比較して卓越した着用感が得られる。
【考案を実施するための最良の形態】
【０００６】
本考案の簡易ブラジャーは、図示されているように、肩紐Ａと胸バンドＢのみから形成されるため軽快であり、またポイントＰを設けることによって、乳首を隠すことができるため着用に際しても安心感が生じる。
【実施例】
【０００７】
添付図面により本考案の簡易ブラジャーを説明すると、図１はブラジャー全体を示す状態図であって、Ａは肩紐、Ｂは胸バンドを示している。Ｐは肩紐Ａの前部に設けてあって、図示していないが装着した際に乳首を隠すための布片である。
【０００８】
この布片Ｐはポイントと称し、図示にあっては、ハート型をしているがこれに限ることなく、単なる円形でも星形でも形状については限定しない。要は着用した際の突出をさけるものである。
【０００９】
そしてこのポイントＰは肩紐Ａに対して上下に移動可能としてあり、着用する人の体型に応じて、この位置を変えることができる。このポイントの装着は図示にあっては乳輪Ｒに通して上下移動が可能としているが、単に貼着できるような方式でも差し支えない。
【００１０】
図３は、肩紐Ａ部分がずれることを心配して考えたブラジャーであって、胸部に肩紐Ａに加えて、支えバンドＡ１を設けたもので、この支えバンドＡ１を設けることによってブラジャーの胸部分のずれを防ぐこと
ができる。
【００１１】
図示されているように、本考案の簡易ブラジャーは、肩紐Ａと胸バンドＢのみあるいは支えバンドＡ１を設けて形成られていて、脇がないため着用感がなくむし暑さや締め付がないため軽快で付け心地がよい。
【００１２】
また必要に応じて肩紐や胸バンドにはゴム等を織り込んで伸縮性を保持して着用による被着性をよくすることも可能である。
【産業上の利用可能性】
【００１３】
本考案の簡易ブラジャーは、軽快な形状であって、しかも着用しても違和感がないため、夏季や多汗性の女性に好まれ利用可能性は大きい。
【図面の簡単な説明】
【００１４】
【図１】簡易ブラジャーの全体図
【図２】ポイントＰの実施例図
【図３】ブラジャーの別の実施例図
【符号の説明】
【００１５】
Ａ  肩紐
Ａ１  支えバンド
Ｂ  胸バンド
Ｐ  ポイント
Ｒ  乳輪
【図１】
0003123004.tif 000003
【図２】
0003123004.tif 000004
【図３】
0003123004.tif 000005
(57)【要約】      （修正有）【課題】消防士が扱う消防ホースの収納バッグであって、消防ホースを素早く能率よく引き出し消火に当れるホースのバッグを提供する。【解決手段】ホース１は１本が２０ｍの長さであって、それぞれ継ぎ手金具２によって接続されて１本となって、先端になるホースには放水口が取付けてあって、ホース１は継ぎ手を連結して重ね折りにして１本づつ区画ａ，ｂ，ｃに収納してある。【選択図】図２
0003123007.tif 000002
【実用新案登録請求の範囲】
【請求項１】
縦長に３区画ａ，ｂ，ｃに仕切られたバッグ型袋体Ａであって、該３区画内に折り畳まれた３本の消防ホース（１）を、それぞれ接続金具（２）で接続して収納し、上面に蓋（２）と肩かけ用のバンド（３）を設け、該袋体Ａの底面に４個の把手環（４）を前後左右に対向する位置に設けたことを特徴とした消防ホース収納バッグ。
【考案の詳細な説明】
【技術分野】
【０００１】
本考案は、常時消防ポンプ車に搭載しておき、出動の際に取出して火災現場に急行する消防ホース収納バッグに関する。
【背景技術】
【０００２】
消防ポンプ車には消火用の消防ホースが搭載されていることは当然で、このホースの収納は、巻いて何本も置いてあり、消防士がホースの先端ノズルを持って走り、他の消防士がこれを追いかけるように何本かのホースを接続して消火に当っている。又消防ホースの収納も折り畳んで収納具に納めて搭載している消防車もある。
【特許文献１】特開２００１−２５８６２８号公報
【考案の開示】
【考案が解決しようとする課題】
【０００３】
消防隊が出動して消火作業をする場合、１本のホースに噴水ノズルを持って走る隊員と、ホースを継ぐ隊員と最低は１本の消火ホースに２人の隊員が必要になっている。このため１回の出動に４〜５人の消防士が消防車に乗ることとなる。
【課題を解決するための手段】
【０００４】
この点に鑑み考案者は、１本のホースを１人の隊員が操作することを考え、ホースの収納バッグＡの改良を図ったもので、短い（２０ｍ）３本のホースを接続金具で接続したままバッグに収納し、１人の消防隊員がバッグをかついで走ることにより、火災現場にホースを延長して到達し消火に当ることができるため、火災現場で放水するまでの時間が短縮
できる。また１人の隊員で放水・消火に当れるため出動隊員の数を少なくすることができる。
【考案の効果】
【０００５】
上述のように本考案の消防ホース収納バッグＡは、３本のホースが接続したままで収納されていて、１人の隊員がバッグＡをかついで現場に到達できるため１秒を争う消火作業ができ、しかも隊員を有効に消火作業に従うことができることで能率の向上に貢献できる。
【考案を実施するための最良の形態】
【０００６】
添付図面により本考案の実施の形態を説明すると、図１は本考案の消防ホース（１）を収納して携行するバッグＡの全体を示す斜視図であり、図２はバッグＡの展開した平面図を示している。このバッグＡの内部はａ，ｂ，ｃの３区画に区画されていて、図示していないが、３本の消防ホースが接続金具で継がれた状態で収納されている。図３は消防隊員が本考案のバッグＡをかついで火災現場に急行している実施例図である。
【実施例】
【０００７】
添付図面により本考案を説明すると、図１は本考案のホース収納バッグＡの全体を示す斜視図であり、図２はバッグを開口展開した平面図である。この収納バッグは全体が布製で、長辺が６０ｃｍ、幅・高さが３０ｃｍで作製されている。このバッグＡは内部をａ，ｂ，ｃの３区画に仕切られていて、それぞれの区画に長さ２０ｍの消火ホース（１）が折り畳み式で収納される。
【０００８】
図２にあってはホース（１）は図示していないが、ホース（１）は１本が２０ｍの長さであって、それぞれ継ぎ手金具（２）によって接続されて１本となって、先端になるホースには放水口（図示していない）が取付けてあって、ホース（１）は継ぎ手を連結して重ね折りにして１本づつ区画ａ，ｂ，ｃに収納してある。
【０００９】
したがって、バッグＡの中には全長６０ｍのホースがあり継ぎ手金具（２）によって連結されていて、このホース収納バッグＡは図示していないが、図１の状態で消防車の両側に収納されている。
【００１０】
消防車が火事現場に到着すると、消防隊員は直ちに格納されているバッグＡを取り出し、かついで消火現場に飛び出して消火作業に当る。（図３参照のこと）
【００１１】
本考案の収納バッグＡの底の四辺には、把手環（４）が設けてあって、隊員はこの把手環（４）に手をかけながら迅速に移動するもので、四辺の位置はそれぞれの姿勢で使用できる。符号（２）はバッグＡの蓋であって、バッグＡの開口部が開いて、ホースが飛び出ないように押える程度である。
【産業上の利用可能性】
【００１２】
本考案の消防ホース収納バッグＡは、消防車が火災現場に到着したとき、隊員が図３に示されるように、直ちに消火活動に移れるため、初期消火を旨とする消防隊に利用される期待は大きい。
【図面の簡単な説明】
【００１３】
【図１】全体を示す斜視図
【図２】展開平面図
【図３】使用の状態を示す実施例図
【符号の説明】
【００１４】
１  消防ホース
２  蓋
３  肩かけバンド
４  把手環
Ａ  収納バッグ
【図１】
0003123007.tif 000003
【図２】
0003123007.tif 000004
【図３】
0003123007.tif 000005
(57)【要約】      （修正有）【課題】おかず入れ用の弁当箱のおかず全体を均一に保冷させ長時間を経過しても変質・腐敗を防ぎ、安心して美味しく喰べることができるおかず入れ用の弁当箱を提供する。【解決手段】弁当箱の下部内側周囲に断熱材層３を設け、この中に保冷剤４を入れ、この保冷剤の直上に金属薄板５を載置し、その上に僅かの空間を設けて金網６を配しておかず入れ部分を形成した弁当箱であって、熱伝導性のよい金属薄板を設けることにより、均一に冷却ができ長い時間の保冷が可能となった。【選択図】図１
0003123006.tif 000002
【実用新案登録請求の範囲】
【請求項１】
蓋（２）を設けた弁当箱（１）であって、弁当箱（１）の下方内側周囲に断熱材（３）を設け、該断熱材（３）の層内に保冷剤（４）を配して保冷室とし、この上に金属薄板（５）を載置し、金属薄板（５）の上側に空間（７）を設けて金網（６）を配置したことを特徴としたおかず入れ用の保冷弁当箱。
【考案の詳細な説明】
【技術分野】
【０００１】
本考案は、保冷剤を収納したおかず入れ用の弁当箱に関する。
【背景技術】
【０００２】
おかず入れとご飯とが別々になった弁当は２段弁当として広く知られている。また魔法瓶型や発熱剤を封入した保温弁当箱なども一般に使用されているが、携帯型のおかずとご飯を別々にした弁当箱として保冷形式のものはあまり知られていない。また保冷型としては冷凍庫で凍らせたゲル状の小袋を別添物として用いたものも見られる。
【特許文献１】特開２００３−２９９４４９号公報
【考案の開示】
【考案が解決しようとする課題】
【０００３】
従来知られている凍ったゲル状の小袋を別添物として用いた冷却保持は短時間の保存であり、しかもこの小袋を添付してあるごく一部の保冷に限られ、弁当箱のように箱内のおかず全体を保冷するには無理があり、しかも温かいご飯と一緒では更にこの効果は望めない。
【課題を解決するための手段】
【０００４】
考案者はこの点に鑑み種々試作を重ねた結果本考案に到達したものであって、本考案の保冷弁当箱は、おかず用の弁当箱内を上下２段に区割し、上段Ａをおかず入れとし、下段を冷却室とし、冷却室を断熱材（３）で囲み、保冷剤（４）上に金属薄板（５）を置き、空間（７）を設けて金網（６）を載置し、この金網（６）上におかずを並べるためおかずの保存性がよく弁当箱全体を保冷できる。
【考案の効果】
【０００５】
本考案は、このように保冷剤を断熱材で囲み、この上面に熱伝導性のよい金属薄板を載置することによって弁当箱全体が均一に冷却されることにより、おかずの変質や腐敗がなく、長時間の保存が可能であり夏期であっても安心して利用できる効果を奏する。
【考案を実施するための最良の形態】
【０００６】
添付図面により本考案の実施の形態を説明すると、図１は本考案のおかず用保冷弁当箱の断面図であって、図２は弁当箱の蓋を取った本体、即ち、おかずを入れる部分Ａの平面図を示すものである。この弁当箱の構造については以下実施例によって詳記する。
【実施例】
【０００７】
図において、蓋（２）を除いた弁当箱（１）を説明すると、この弁当箱（１）は図１に示すように上段のおかずを入れる部分Ａと保冷剤（４）を入れる冷却室とに２分割されていて、下段の冷却室は周囲を断熱材（３）を囲み、この中に保冷剤（４）を収納する。
【０００８】
保冷剤（４）は家庭の冷蔵庫の冷凍室で凍らせたものを使用する。そして、この保冷剤の上に金属薄板（５）を載置する。この金属薄板（５）はステンレス製の厚さ１ｍｍ程度の薄板で熱伝導性がよく、保冷剤の熱を受けて均一に一気に冷却される。
【０００９】
この金属薄板（５）の上に僅かな空間（７）を置いて目の細いステンレス製の金網（６）を配置する。そしてこの金網（６）の上におかずを置き並べるものである。
【００１０】
従って金網上のおかずは均一に冷され、おかずから出る汁や水滴は金網を通して下方に落ちるためおかずの変質や味落ちがなく、おかずは常に鮮度を保つことができる。
【００１１】
本考案の弁当箱はＡＢＳ（アクリロニトリル、ブタジエン、スチレン共重合体）製のプラスチック材が適しているが特にこれに限定することはなく、形状も大小様々に使用できるため、正月用のおせち料理を入れる重箱などに利用することも十分考えられる。
【００１２】
そして弁当箱内の断熱材、金属薄板、金網は着脱可能であるため、使用後の洗浄ができ常に清潔に保つことができる。金網の網目は細いものを使用するが、さらにおかずに網目のあとが付くのが気になるときはキッチンペーパー等を敷くこともできる。
【産業上の利用可能性】
【００１３】
上述のように本考案のおかず用保冷弁当箱は、保冷剤が断熱材によって保護され、上面に熱伝導性のよい金属薄板を設けるため箱全体が均一に冷却されるため、おかずの保存性がよく、夏期でも長時間の冷却が可能であるためおかずの腐敗や変質の心配がなく広く利用される。
【図面の簡単な説明】
【００１４】
【図１】おかず用の弁当箱の断面図
【図２】蓋を外したおかず用弁当箱の平面図
【符号の説明】
【００１５】
１  弁当箱
２  蓋
３  断熱材
４  保冷剤
５  金属薄板
６  金網
７  空間
Ａ  おかず室
【図１】
0003123006.tif 000003
【図２】
0003123006.tif 000004
(57)【要約】【課題】  本考案は霊亀元年（７１５）年ごろから、熊本県天草郡苓北町から太宰府天満宮に塩がお供えされており、太宰府天満宮で行われているすべての祭典にこの塩が使用されていた。天神様とご縁の深いこの塩は、料理に使用して自然のマグネシウム、カルシウム、カリウム等を美味しく体内に取り入れることができ、お清めの塩として福へのご縁をとりもち、神事・一般家庭の故事習慣にも使用できるので、人体の肉体的、精神的安らぎ効果を得る。【解決手段】  本考案は和紙１に透明ビニール２を被着し、和紙容器表３・和紙容器裏４に開封口５、圧着部７、強化圧着部８を設け、塩内装部６に塩を充填して白塩とし、塩に梅肉を混合して製造した塩を紅梅塩として、これを前述と同様に製造した別容器の塩内装部６に充填して紅塩となし、白塩と紅塩を１セットにして包装セロハン９で包装し、紅白塩と印刷した品名シール１０を貼付し、さらに飾縛紐１１で巻回して、参道店舗やデパート等で販売する【選択図】図１
0003123057.tif 000002
【実用新案登録請求の範囲】
【請求項１】
和紙に透明ビニールを被着し、和紙容器表・和紙容器裏に開封口、圧着部、強化圧着部を設け、塩内装部に塩を充填して白塩とし、塩に梅肉を混合して製造した塩を紅梅塩として、これを前述と同様に製造した別容器の塩内装部に充填して紅塩となし、白塩と紅塩を１セットにして包装セロハンで包装し、紅白塩と印刷した品名シールを貼付することを特徴とする太宰府紅白塩。
【考案の詳細な説明】
【技術分野】
【０００１】  本考案は、和紙容器の周囲を圧接し、塩内装部を設け、平釜塩（白）・平釜塩（紅）を各々封入し、２袋を１セットにして包装した紅白塩に関するものである。
【背景技術】
【０００２】  霊亀元年（７１５）年ごろから、熊本県天草郡苓北町から太宰府天満宮に塩がお供えされており、太宰府天満宮で行われているすべての祭典にこの塩が使用されていた。
【考案の開示】
【考案が解決しようとする課題】
【０００３】  天神様とご縁の深いこの塩を、料理に勿論、お清めの塩として福へのご縁をとりもつのに購入したいという声が、様々な方面から発せられているにもかかわらず、その声にこたえて供給するシステムがないという欠点を解決しようとするものである。
【課題を解決するための手段】
【０００４】  本考案は、和紙に透明ビニールを被着し、和紙容器表・和紙容器裏に開封口、圧着部、強化圧着部を設け、塩内装部に塩を充填して白塩とし、塩に梅肉を混合して製造した塩を紅梅塩として、これを前述と同様に製造した別容器の塩内装部に充填して紅塩となし、白塩と紅塩を１セットにして包装セロハンで包装し、紅白塩と印刷した品名シールを貼付し、参道店舗やデパート等で販売することにより問題点を解決している。
【考案の効果】
【０００５】  霊亀元年（７１５）年ごろから天神様とご縁の深いこの塩は、料理に使用して自然のマグネシウム、カルシウム、カリウム等を美味しく体内に取り入れることができ、お清めの塩として福へのご縁をとりもち、神事・一般家庭の故事習慣にも使用できるので、人体の肉体的、精神的安らぎ効果も期待できる。
【考案の実施するための最良の形態】
【０００６】  和紙容器の内側に透明ビニールを被着することにより、湿気を遮断し、凝固を防ぐにとを実現した。そして、紅梅塩は梅肉が混合されているので、ご飯に直接かけてふりかけにして食べてもよく、その状態でお茶をかけるとお茶付けにもなる。
【実施例】
【０００７】  以下、添付図面に従って一実施例を説明する。１は和紙であり容器となるが、湿気防止のため２の透明ビニールが被着されており、適当にカッティングされた後に３の和紙容器表、４の和紙容器裏をなし、片側に５の開封口が刻設されている。この容器に白塩又は紅塩を６の塩内装部に充填した後、７の圧着部、８の強化圧着部をプレス機にて圧着する。【０００８】  セロハンを成形機にて袋状となし９の包装セロハンを成形し、梅花状にカッティングした１０の品名シールに商品名の紅白塩と印刷し、９の包装セロハンに貼付し、白塩と紅塩を９の包装セロハンに挿入し、１１の飾縛紐で巻回する。【０００９】  白塩の成分を財団法人日本食品分析センター、紅梅塩は白塩に梅肉を混合したものであるが、この梅肉を株式会社らいふエムビック環境分析センターによって分析試験した。この分析結果を［表１］（白塩）、［表２］（紅塩）としてその値を示す。【００１０】
【表１】
0003123057.tif 000003
【００１１】
【表２】
0003123057.tif 000004
【図面の簡単な説明】
【００１２】
【図１】  本考案の白塩、紅梅塩を封入した正面斜視図である。
【図２】  本考案の白塩、紅梅塩を封入した側面斜視図である。
【図３】  包装セロハン、品名シール、飾縛紐の斜視図である。
【図４】  和紙容器の断面図である。
【符号の説明】
１．和紙
２．透明ビニール
３．和紙容器表
４．和紙容器裏
５．開封口
６．塩内装部
７．圧着部
８．強化圧着部
９．包装セロハン
１０．品名シール
１１．飾縛紐
【図１】
0003123057.tif 000005
【図２】
0003123057.tif 000006
【図３】
0003123057.tif 000007
【図４】
0003123057.tif 000008
(57)【要約】      （修正有）【課題】線香の束の先端着火部分１本１本に空気の流れを良くする束ね方を施して、マッチやライターなどの小さな火でも束ごと着火出来る線香の束を提供する。【解決手段】線香の長さより数センチ短い紙パイプに、紙パイプの長さと同じ幅の帯状厚手ソフトペーパーをのり付けして、この紙の上に線香の左右両端が同じ長さにはみ出すように並べ、紙パイプを中心軸にして渦巻き状に巻き取り、のり付けする。この製作方法により線香の束は中心部に空洞が出来ると共に、線香の両端数センチ部分は紙パイプも巻き取った紙も無い部分なので、巻き取った厚手ソフトペーパーの厚さ分の隙間が出来て空気に触れ易くなり燃えやすくなる。この線香の束を斜め縦方向に持って着火させると中心部の空洞が煙突の役割を果たし、更に燃焼効果を高め、角度を調節する事で束ねられた線香全体への着火が容易となる。マッチやライターの小さな火でも充分線香の束ごと着火させることが出来る。【選択図】図１
0003123052.tif 000002
【実用新案登録請求の範囲】
【請求項１】
線香の長さより短い紙パイプに帯状の紙の端をのり付けして、紙パイプを中心に線香を渦巻き状に巻き込んだ線香の束。
【考案の詳細な説明】
【技術分野】
【０００１】  本考案は、束状の線香にマッチやライターなどで容易に火が付けられる墓参用の線香の束に関するものである。
【背景技術】
【０００２】  墓参時などは線香を沢山必要とするので線香の束にそのまま火を付ける必要に駆られる。しかし、従来の線香の束は１本１本がしっかりと密着した状態で束ねられているので束ごと火を付ける事は容易ではない。
【考案の開示】
【考案が解決しようとする課題】
【０００３】  墓参時には沢山の線香に着火させる方法として、紙に火を付けてその炎を使うか、高価な着火用具を用いるか、その他様々な手段が見られるが、束ねた線香は１本１本に酸素が行き渡りにくいため着火に時間が掛かるのである。しかし、もっと小さな火で、もっと簡単に線香の束に着火が出来れば大変便利である。本考案は、線香１本１本に空気の通りを良くすることで酸素の供給をし易くし、マッチやライターなどの小さな火でも束ねられた線香の１本１本に着火できる線香の束を開発して前述の欠点を解決しようとするものである。
【課題を解決するための手段】
【０００４】  本考案は、線香の束の両端部分の線香１本１本に酸素が行き渡り易くするため、線香の長さよりも数センチ短い紙パイプに、紙パイプの長さと同じ幅の帯状の厚手ソフトペーパーの一端をのり付けして、この帯状の紙の上に線香の両端が左右均等にはみ出すように並べて渦巻き状に巻き取って束ねる。この事により、線香の束は中心が空洞になると共に着火部にあたる束の先端部分は紙パイプもソフトペーパーも無いのでソフトペーパーの厚みだけ渦巻き状に隙間が出来る事になり、更にこの部分の中心部は線香が剥きだしのパイプ状となって線香への酸素の供給がより良好になり、マッチやライターなどの小さな火で容易に炎が上がる程度の着火が得られる。
【考案の効果】
【０００５】  上述の様に、線香の束の先端部は線香１本１本が窮屈な密着をしていないため空気の通りが良くマッチやライターなどの小さな火でも容易に着火し、更には中心部がパイプ状のため着火部を下方向にすることで煙突の役目を果たし、着火後の燃焼に効果的である。また、角度を変えたり、回転させたりする事により未着火部分の線香に着火させる事も容易である。
【実施例】
【０００６】  以下、添付図面に従って実施例を説明する。１は線香の束の中心になる紙製のパイプであり、このパイプに同じ幅の帯状厚手ソフトペーパーの２を４の箇所にのり付けをし、線香３を並べ、渦巻き状に巻き取り、最終接着部分６でのり付けをして束ねる。５は線香の束を解し易くするためにのり付けをしない部分である。【０００７】  図１の断面部分に見られるように、中心の紙パイプ１と厚手ソフトペーパー２は線香の束の先端部まで達していないため、線香の先端部分には隙間が出来て空気の通りが良くなっている。
【図面の簡単な説明】
【０００８】
【図１】本考案を一部断面した全体図である。
【図２】図１中のＡ−Ａ断面の拡大図である。
【図３】紙パイプと帯状の厚手ソフトペーパーの接着状態を示し、線香を巻き取る前に並べた部分図である。
【符号の説明】
【０００９】１  紙パイプ
２  厚手ソフトペーパー
３  線香
４  紙パイプと厚手ソフトペーパーののり付け部
５  厚手ソフトペーパーの端
６  厚手ソフトペーパーの最終のり付け部
【図１】
0003123052.tif 000003
【図２】
0003123052.tif 000004
【図３】
0003123052.tif 000005
(57)【要約】【課題】  観光地や神社仏閣又は各種催事に於いて、開口部に照明器具を入れて使用する事により、色あざやかな仕上がりをもたらし、又、風雨に強く破損しにくい吊り下げる円筒美術行燈を提供する。【解決手段】  一番内側の図柄入り塩ビシート（１）を、中間の透明プラスチック板（２）に貼り、すりガラス模様の塩ビシート（３）も外側から貼った、三層構造の円筒表面（４）を上用枠（５）と下用枠（６）に、ビス（７）で固定して、紐（８）を設けたことを特徴とする。【選択図】図１
0003123051.tif 000002
【実用新案登録請求の範囲】
【請求項１】
一番内側の図柄入り塩ビシート（１）を、中間の透明プラスチック板（２）に貼り、すりガラス模様の塩ビシート（３）も外側から貼った、三層構造の円筒表面（４）を上用枠（５）と下用枠（６）に、ビス（７）で固定して紐（８）をつけた、吊り下げる円筒美術行燈。
【考案の詳細な説明】
【考案の詳細な説明】
【技術分野】
【０００１】  この考案は、観光地や神社仏閣、又は各種催事で、開口部に照明器具を入れて吊り下げる円筒美術行燈に関するものである。
【背景技術】
【０００２】  従来の物は、ちょうちん様のものであった。欠点としては、強い雨や強い風により容易に破損した。
【考案が解決しようとする課題】
【０００３】イ、外側が竹と紙なので燃えやすかった。
ロ、強い雨で破れたり、強い風に舞い上がった物で穴があきやすかった。
ハ、破損しやすいのに、製作時間が長くかかり、完成品に文字を描くので見苦しい仕上がりの物もあった。
本考案は、以上の欠点を解決するためになされたものである。
【課題を解決するための手段】
【０００４】  一番内側の図柄入り塩ビシート（１）を、中間の透明プラスチック板（２）に貼り、すりガラス模様の塩ビシート（３）も外側から貼った、三層構造の円筒表面（４）を完成させる。そして上用枠（５）と下用枠（６）に、ビス（７）で固定する。上用枠（５）と下用枠に各４本の紐（８）を設ける。
本考案は、以上の構成よりなる吊り下げる円筒美術行燈である。
【考案を実施するための最良の形態】
【０００５】  以下、本考案の実施の形態を説明する。
イ、一番内側の、裏面に糊のついた図柄入り塩ビシート（１）を、中間の透明プラスチック板（２）に貼り、外側にも、裏面に糊のついたすりガラス模様の塩ビシート（３）を貼った、三層構造の円筒表面（４）の左右を接着剤で接着して筒状にする。
ロ、各８個の穴のあいた塩化ビニールの上用枠（５）と下用枠（６）に円筒表面（４）をビス（７）で各４ヵ所固定する。
ハ、各４本のビニール紐（８）を、上用枠（５）と下用枠（６）の穴と、その外側に小さな穴を開けた円筒表面（４）に通して固定する。
本考案は、以上の構成よりなっている。
本考案を使用するときは、上用枠（５）の紐（８）の上部と、下用枠（６）の紐（８）の下部をそれぞれ固定して、上用枠（５）の開口部から照明器具を入れると、図柄入り塩ビシート（１）の文字や図柄が、ほんのりとやさしく、そして美しく浮かび上がる。
【考案の効果】
【０００６】  本考案は、破損を引き起こす風雨に強く、塩化ビニール製なので燃え上がらない。円筒表面（４）には文字や模様を、手描き又はシルク印刷、更にシールを貼りつけることができる。
本考案は、風雨に強く、燃え上がらず、美しく有用なものである。
【図面の簡単な説明】
【図１】  本考案の斜視図
【図２】  本考案の分解斜視図
【図３】  本考案の使用状態を示す斜視図
【符号の説明】
１  図柄入り塩ビシート
２  透明プラスチック板
３  すりガラス模様の塩ビシート
４  円筒表面
５  上用枠
６  下用枠
７  ビス
８  紐
【図１】
0003123051.tif 000003
【図２】
0003123051.tif 000004
【図３】
0003123051.tif 000005